【手続補正書】
【提出日】平成20年7月8日(2008.7.8)
【手続補正１】
【補正対象書類名】明細書
【補正対象項目名】特許請求の範囲
【補正方法】変更
【補正の内容】
【特許請求の範囲】
【請求項１】  逸らせアセンブリであって、
搬送面（１４，１１４）が設けられており、
該搬送面（１４，１１４）の互いに向かい合う側部に対のフリッパアセンブリ（１６，１１６ａ，１１６ｂ）が設けられており、該フリッパアセンブリが、作動位置において同一線上に並んで配置される形式のものにおいて、
各前記フリッパアセンブリ（１６，１１６ａ，１１６ｂ）上に規定された被駆動逸らせ面（２６，２１０ａ，２１０ｂ）が設けられており、
アクチュエータ（１８，１１８）が設けられており、該アクチュエータが、前記フリッパアセンブリ（１６，１１６ａ，１１６ｂ）を前記作動位置にほぼ同時に作動させかつ前記被駆動逸らせ面（２６，２１０ａ，２１０ｂ）を駆動し、この場合に、前記搬送面（１４，１１４）上の物品が逸らされるようになっていることを特徴とする、逸らせアセンブリ。
【請求項２】  前記搬送面（１４，１１４）が、ほぼ水平である、請求項１記載の逸らせアセンブリ。
【請求項３】  前記フリッパアセンブリ（１６，１１６ａ，１１６ｂ）の逸らせ面（２６，２１０ａ，２１０ｂ）が、前記搬送面（１４，１１４）上の物品の移動方向に対して２０°から６０°までの範囲内で角度付けられている、請求項１または２記載の逸らせアセンブリ。
【請求項４】  前記アクチュエータ（１８，１１８）が、前記搬送面（１４，１１４）から僅か１８インチ（４５７．２ｍｍ）しか下方に突出していない、請求項１または３記載の逸らせアセンブリ。
【請求項５】  前記アクチュエータ（１８，１１８）が、モータ（３０，１２０）と、該モータ（３０，１２０）を前記フリッパアセンブリ（１６，１１６ａ，１１６ｂ）に選択的に接続するクラッチ（４８，５０，１２１）とから構成される、請求項１、３または４記載の逸らせアセンブリ。
【請求項６】  各フリッパアセンブリ（１６，１１６ａ，１１６ｂ）が、アーム（１９，１１７ａ，１１７ｂ）を有しており、該アーム（１９，１１７ａ，１１７ｂ）が、遠位端部を有しており、該遠位端部が、前記フリッパアセンブリ(１６，１１６ａ，１１６ｂ）が前記作動位置に作動させられる時にほぼ隣接して配置される、請求項１から５までのいずれか１項記載の逸らせアセンブリ。
【請求項７】  各前記フリッパアセンブリ（１６，１１６ａ，１１６ｂ）が、アーム（１９，１１７ａ，１１７ｂ）を有しており、該アーム（１９，１１７ａ，１１７ｂ）が、遠位端部と近接端部とを有しており、前記アーム（１９，１１７ａ，１１７ｂ）が、前記フリッパアセンブリ（１６，１１６ａ，１１６ｂ）が前記作動位置に作動させられる時に前記近接端部を中心として旋回させられる、請求項１から６までのいずれか１項記載の逸らせアセンブリ。
【請求項８】  前記搬送面（１４，１１４）が、搬送方向を有しかつ物品をある搬送速度で搬送するためのものであり、
前記フリッパアセンブリ（１６，１１６ａ，１１６ｂ）が、前記搬送面（１４，１１４）の互いに向かい合う側部に設けられた対のアーム（１９，１１７ａ，１１７ｂ）から構成されており、該アーム（１９，１１７ａ，１１７ｂ）が、前記搬送面（１４，１１４）に隣接して配置される非逸らせ位置と、前記搬送面（１４，１１４）を横切るように旋回させられる逸らせ位置との間で旋回運動するために取り付けられており、
各前記アーム（１９，１１７ａ，１１７ｂ）において規定された前記被駆動逸らせ面（２６，２１０ａ，２１０ｂ）が設けられており、
前記アクチュエータ（１８，１１８）が、駆動アセンブリ（１８，１１８）から構成されており、該駆動アセンブリが、前記アーム（１９，１１７ａ，１１７ｂ）を前記逸らせ位置と非逸らせ位置との間で選択的にほぼ同時に移動させ、この場合に、前記搬送面上（１４，１１４）を搬送される物品が、前記逸らせ位置を占める時の前記アーム（１９，１１７ａ，１１７ｂ）のうちの少なくとも一方と接触する時に逸らせ方向に逸らされ、また前記駆動アセンブリ（１８，１１８）が、前記搬送方向逸らせ方向との間の角度のコサインによって割り出される、前記搬送速度とほぼ等しい速度で前記被駆動逸らせ面（２６，２１０ａ，２１０ｂ）を駆動する、請求項１記載の逸らせアセンブリ。
【請求項９】  前記逸らせ面（２６，２１０ａ，２１０ｂ）が、高摩擦面から構成されている、請求項１から８までのいずれか１項記載の逸らせアセンブリ。
【請求項１０】  前記アーム（１９，１１７ａ，１１７ｂ）のうちの少なくとも一方が、ある幅と、該幅を取り囲むように延びたベルト（２６，２１２ａ，２１２ｂ）とを含み、該ベルト（２６，２１０ａ，２１０ｂ）が、前記幅の周囲で駆動されかつ前記少なくとも一方のアームのための被駆動逸らせ面（２６，２１０ａ，２１０ｂ）を提供する、請求項８記載の逸らせアセンブリ。
【請求項１１】  前記少なくとも一方のアーム（１９，１１７ａ，１１７ｂ）が、ある高さを有しており、前記ベルト（２６，２１２ａ，２１２ｂ）が、前記高さの少なくとも一部に沿って延びている、請求項１０記載の逸らせアセンブリ。
【請求項１２】  前記高さが、少なくとも１２インチ（３０４．８ｍｍ）である、請求項１１記載の逸らせアセンブリ。
【請求項１３】  前記搬送面（１４，１１４）が、物品を搬送するためのほぼ水平な搬送面から構成されており、
前記フリッパアセンブリ（１６，１１６ａ，１１６ｂ）が、前記搬送面（１４，１１４）の互いに向かい合う側部に設けられた対のアーム（１９，１１７ａ，１１７ｂ）から構成されており、該アーム（１９，１１７ａ，１１７ｂ）が、前記搬送面（１４，１１４）に隣接して配置される非逸らせ位置と、前記搬送面（１４，１１４）を横切るように延びかつ前記アーム（１９，１１７ａ，１１７ｂ）の少なくとも一部が前記搬送面（１４，１１４）とは反対側に突出する逸らせ位置との間で旋回運動を行うために取り付けられており、
各前記アームにおいて規定された前記被駆動逸らせ面（２６，２１０ａ，２１０ｂ）が設けられており、
前記アクチュエータ（１８，１１８）が、前記駆動アセンブリ（１８，１１８）から構成されており、該駆動アセンブリが、前記逸らせ位置と非逸らせ位置との間で前記アーム（１９，１１７ａ，１１７ｂ）を選択的に旋回させ、この場合に、前記搬送面（１４，１１４）上を搬送される物品が、前記逸らせ位置を占める時の前記アーム（１９，１１７ａ，１１７ｂ）のうちの少なくとも一方接触する時に逸らせ方向に逸らされ、前記少なくとも一方のアーム（１９，１１７ａ，１１７ｂ）の一部が、前記物品が搬送面から遠ざかるように逸らされる時に前記物品を動かし続けるためのものである、請求項１記載の逸らせアセンブリ。
【請求項１４】  前記被駆動逸らせ面（２６，２１０ａ，２１０ｂ）のうちの少なくとも一方が、被駆動ベルト（２６，２１０ａ，２１０ｂ）から構成されている、請求項１、８または１３記載の逸らせアセンブリ。
【請求項１５】  前記被駆動ベルト（２６，２１０ａ，２１０ｂ）が、被駆動ローラ（３８，２１６ａ，２１６ｂ）によって駆動され、該被駆動ローラ（３８，２１６ａ，２１６ｂ）が、前記駆動アセンブリ（１８，１１８）によって駆動される、請求項１４記載の逸らせアセンブリ。
【請求項１６】  前記被駆動ローラ（３８，２１６ａ，２１６ｂ）が、駆動軸線を有しており、該駆動軸線を中心として前記被駆動ローラ（３８，２１６ａ，２１６ｂ）が駆動され、また前記アーム（１９，１１７ａ，１１７ｂ）が、前記非逸らせ位置と逸らせ位置との間を旋回する時に旋回軸線を中心として旋回する、請求項１５記載の逸らせアセンブリ。
【請求項１７】  前記駆動軸線と旋回軸線とが、ほぼ同一線上に並んで配置されている、請求項１６記載の逸らせアセンブリ。
【請求項１８】  前記駆動軸線と旋回軸線とが、間隔を置いて配置されている、請求項１７記載の逸らせアセンブリ。
【請求項１９】  前記駆動アセンブリ（１８，１１８）が、前記駆動軸線を中心とする前記被駆動ベルト（２６，２１２ａ，２１２ｂ）の運動を、前記旋回軸線を中心とする前記アーム（１９，１１７ａ，１１７ｂ）の運動から切り離すようになっている、請求項１８記載の逸らせアセンブリ。
【請求項２０】  前記駆動アセンブリ（１８，１１８）が、クラッチアセンブリ（４８，５０，１２１）を有しており、これにより前記運動を切り離す、請求項１９記載の逸らせアセンブリ。
【請求項２１】  前記アーム（１９，１１７ａ，１１７ｂ）のうちの少なくとも一方が、前記逸らせ位置を占める時に、前記搬送面（１４，１１４）の搬送方向に対して２０°から６０°までの範囲内で角度付けられている、請求項８または１３記載の逸らせアセンブリ。
【請求項２２】  前記角度が、約４５°である、請求項３、８または２１記載の逸らせアセンブリ。
【請求項２３】  前記アーム（１９，１１７ａ，１１７ｂ）が、前記逸らせ位置に旋回させられる時にほぼ同一線上に並んで配置される、請求項８または１３記載の逸らせアセンブリ。
【請求項２４】  前記搬送面（１４，１１４）が、搬送方向を有しており、各前記アーム（１９，１１７ａ，１１７ｂ）が、遠位端部を有しており、該遠位端部が、前記アーム（１９，１１７ａ，１１７ｂ）が前記逸らせ位置に旋回させられる時にほぼ隣接して配置される、請求項１３記載の逸らせアセンブリ。
【請求項２５】  前記搬送面（１１４）が、前記アーム（１１７ａ，１１７ｂ）が前記逸らせ位置に旋回させられる時に前記アーム（１１７ａ，１１７ｂ）において選択的に低くされるようになっている、請求項８から１３までのいずれか１項記載の逸らせアセンブリ。
【請求項２６】  前記被駆動ベルト（２６，２１２ａ，２１２ｂ）が、前記搬送方向と逸らせ方向との間の角度のコサインによって割り出される、前記搬送面の搬送速度とほぼ等しい速度で駆動される、請求項１３から２５までのいずれか１項記載の逸らせアセンブリ。
【請求項２７】  前記駆動アセンブリ（１８，１１８）が、前記被駆動ベルト（２６，２１２ａ，２１２ｂ）を駆動する、請求項１３から２６までのいずれか１項記載の逸らせアセンブリ。
【請求項２８】  前記駆動アセンブリ（１８，１１８）が、前記被駆動ベルト（２６，２１２ａ，２１２ｂ）の運動を前記アーム（１９，１１７ａ，１１７ｂ）の運動に対して切り離すようになっている、請求項２７記載の逸らせアセンブリ。
【請求項２９】  手荷物を逸らせるために使用される、請求項１から２８までのいずれか１項記載の逸らせアセンブリ。
【請求項３０】  請求項１から２９までのいずれか１項記載の逸らせアセンブリを使用して、ユーザ自身が荷造りした手荷物を特定の目標箇所に選択的に逸らせる方法であって、この場合に、手荷物が、ある最大寸法までの様々なサイズおよび構成を有していてよい方法において、
各前記目標箇所に対のフリッパアセンブリ（１６，１１６ａ，１１６ｂ）を提供し、この場合に、前記フリッパアセンブリ（１６，１１６ａ，１１６ｂ）の各対が、前記最大寸法の少なくとも半分の高さを有する被駆動逸らせ面（２６，２１０ａ，２１０ｂ）を含んでおり、
前記フリッパアセンブリ（１６，１１６ａ，１１６ｂ）を通過するように前記手荷物を連続して前進させ、各手荷物品のための所望の目標箇所において前記フリッパアセンブリ（１６，１１６ａ，１１６ｂ）の各対を作動させることを含む、請求項１から２９までのいずれか１項記載の逸らせアセンブリを使用して、ユーザ自身が荷造りした手荷物を特定の目標箇所に選択的に逸らせる方法。
【請求項３１】  前記対のフリッパアセンブリ（１６，１１６ａ，１１６ｂ）を作動させることが、該対のフリッパアセンブリ（１６，１１６ａ，１１６ｂ）を逸らせ位置にほぼ同時に旋回させることを含む、請求項３０記載の方法。
【請求項３２】  前記旋回が、前記フリッパアセンブリ（１６，１１６ａ，１１６ｂ）が逸らせ位置に旋回させられる時に前記対のフリッパアセンブリ（１６，１１６ａ，１１６ｂ）を共通の軸線に沿って整合させることを含む、請求項３０記載の方法。
【請求項３３】  前記前進の速度よりも高速で前記逸らせ面（２６，２１０ａ，２１０ｂ）を駆動することを含み、これにより、前記手荷物の前進速度が、前記フリッパアセンブリ（１６，１１６ａ，１１６ｂ）によって逸らされる時にほぼ変化しない、請求項３０記載の方法。
【請求項３４】  前記作動が、前記手荷物を逸らせ方向に逸らせることを含み、前記前進が、前記手荷物を搬送方向に搬送することを含み、前記逸らせ方向を、前記搬送方向に対して角度付ける、請求項３０記載の方法。
【請求項３５】  前記逸らせにより、手荷物をある逸らせ速度で逸らせ、前記通過移動により、前記手荷物をある前進速度で搬送し、さらに、前記手荷物を逸らせる時に手荷物の前進速度を少なくともほぼ一定に維持することを含む、請求項３４記載の方法。
【請求項３６】  前記逸らせが、前記手荷物の前進速度よりも高速で前記被駆動逸らせ面（２６，２１０ａ，２１０ｂ）を駆動することを含む、請求項３５記載の方法。
【請求項３７】  前記手荷物を逸らせる時に、手荷物の前進速度を少なくともほぼ一定に維持することを含む、請求項３６記載の方法。
【請求項３８】  前記前進が、前記手荷物をある搬送方向に搬送することを含む、請求項３７記載の方法。
【請求項３９】  前記作動が、前記手荷物をある逸らせ方向に逸らせることを含む、請求項３８記載の方法。
【請求項４０】  前記逸らせが、前記搬送方向と逸らせ方向との間の角度のコサインによって割り出される、搬送時の前記手荷物の前進速度と同速度で前記被駆動逸らせ面を駆動することを含み、これにより、逸らされる手荷物に及ぶ衝撃を減じる、請求項３９記載の方法。
【請求項４１】  前記逸らせが、前記被駆動逸らせ面（２６，２１０ａ，２１０ｂ）を駆動しかつ前記対のフリッパアセンブリ（１６，１１６ａ，１１６ｂ）を旋回させることを含む、請求項４０記載の方法。
【請求項４２】  前記被駆動逸らせ面の駆動と前記旋回とを選択的に切り離すことを含む、請求項４１記載の方法。